(57)【要約】【課題】駆動モータの数を削減して構造の単純化とコストダウンを図ることができる画像形成装置を提供すること。【解決手段】本体内部に設けられた用紙収納部から用紙をレジストローラ２８に給紙する本体搬送手段と、バイパストレイから用紙をレジストローラ２８に給紙するバイパス搬送手段を備えた画像形成装置において、前記本体搬送手段の前記レジストローラ２８よりも上流側の搬送ローラ２６を前記バイパス搬送手段の搬送ローラ２４を駆動する駆動モータ４５によって駆動し、両搬送ローラ２４，２６の駆動を前記駆動モータ４５の正逆転によって選択的に行うよう構成する。【選択図】図２
2010097180.tif 000002
【特許請求の範囲】
【請求項１】
画像形成装置の本体内部に設けられた記録媒体収納部から記録媒体をレジストローラへ搬送する本体搬送手段と、
バイパストレイから記録媒体をレジストローラへ搬送するバイパス搬送手段と、
を備え、
前記本体搬送手段の搬送ローラは前記バイパス搬送手段の搬送ローラを駆動する駆動手段によって駆動されることを特徴とする記録媒体搬送装置。
【請求項２】
前記本体搬送手段の搬送ローラと前記バイパス搬送手段の搬送ローラの駆動を前記駆動手段の正逆転によって選択的に行うよう構成したことを特徴とする請求項１記載の記録媒体搬送装置。
【請求項３】
前記本体搬送手段の前記レジストローラよりの直上流側に配置された搬送ローラが前記バイパス搬送手段の搬送ローラを駆動する駆動手段によって駆動されることを特徴とする請求項１又は２記載の記録媒体搬送装置。
【請求項４】
更にバイパス搬送ユニットを有し、該バイパス搬送ユニットは、前記本体搬送手段の搬送ローラと前記バイパス搬送手段の搬送ローラとを有することを特徴とする請求項１記載の記録媒体搬送装置。
【請求項５】
更に転写搬送ユニットを有し、該転写搬送ユニットは、前記レジストローラと転写手段と前記バイパス搬送ユニットに設けられた両搬送ローラを手動で回転させるためのツマミ部材を有することを特徴とする請求項１記載の記録媒体搬送装置。
【請求項６】
前記転写搬送ユニットは画像形成装置の本体に着脱可能であって、前記ツマミ部材を前記搬送ローラに対して係合及び離脱するための係合手段を設けたことを特徴とする請求項５記載の記録媒体搬送装置。
【請求項７】
記録媒体が収納されている記録媒体収納部と、
記録媒体を搬送する記録媒体搬送装置と、
画像を形成する画像形成部と、
記録媒体が排出される記録媒体排出部を有し、
前記記録媒体搬送装置は、
画像形成装置の本体内部に設けられた記録媒体収納部から記録媒体をレジストローラへ搬送する本体搬送手段と、
バイパストレイから記録媒体をレジストローラへ搬送するバイパス搬送手段と、
を備え、
前記本体搬送手段の搬送ローラは、前記バイパス搬送手段の搬送ローラを駆動する駆動手段によって駆動されることを特徴とする画像形成装置。
【発明の詳細な説明】
【技術分野】
【０００１】
本発明は、記録媒体搬送装置及び当該記録媒体搬送装置を備えた画像形成装置に関するものである。
【背景技術】
【０００２】
電子写真方式によって記録媒体の一例である用紙に画像を形成する複写機やプリンタ、ファクシミリ或いはそれらの複合機等の画像形成装置には、本体内部に設けられた記録媒体（用紙）が収納されている記録媒体収納部から用紙をレジストローラに搬送（カセット給紙）する本体搬送手段と、バイパストレイから用紙をレジストローラに搬送（手差し給紙）するバイパス搬送手段が備えられている。
【０００３】
而して、本体内の給紙カセット等の記録媒体収納部に収容された用紙は、搬送ローラによって１枚ずつレジストローラへと搬送される。バイパストレイに積載された用紙も別の搬送ローラによってレジストローラへと搬送される。本体内の用紙収容部から搬送された用紙又はバイパストレイから搬送された用紙はレジストローラによって画像形成部における画像形成に対して適切なタイミングを取って画像形成部の転写ニップ部へ搬送される。そして、転写ニップ部へ搬送された用紙は感光ドラム等の像担持体上に形成されたトナー像の転写を受ける。
【０００４】
ところで、特許文献１に示すように、従来の画像形成装置においては、レジストローラと本体搬送手段の搬送ローラ及びバイパス搬送ユニットの搬送ローラをそれぞれ別個の駆動モータによってそれぞれ独立に駆動する構成が採用されていた。
【０００５】
又、レジストローラと転写手段を少なくとも備えた転写搬送ユニットを本体に対して着脱可能な構成とする。そして、転写搬送ユニット内部で用紙がジャムした場合に対処するために以下のような構成が採用されている。即ち、転写搬送ユニット内部で用紙がジャムした場合には、搬送ローラや定着装置の加圧ローラに接続されたツマミ部材を手動で回すことで、搬送ローラや定着装置の加圧ローラを回転させる。搬送ローラや定着装置の加圧ローラを回転させることで、ジャムした用紙を搬送して、装置内からでジャムした用紙を取り除く（例えば、特許文献２参照）。
【先行技術文献】
【特許文献】
【０００６】
【特許文献１】特開２００５−３３１７６０号公報
【特許文献２】特開２００５−０２４９９２号公報
【発明の概要】
【発明が解決しようとする課題】
【０００７】
しかしながら、従来の画像形成装置のようにレジストローラと本体搬送手段の搬送ローラ及びバイパス搬送ユニットの搬送ローラをそれぞれ別個の駆動モータによってそれぞれ独立に駆動する構成を採用すると、駆動モータの数が多くなって画像形成装置の構造が複雑化するとともに、コストアップを招くという問題が発生する。
【０００８】
従って、本発明の第１の目的は、駆動モータの数を削減することで構造の単純化とコストダウンを図ることができる記録媒体搬送装置及びこれを備えた画像形成装置を提供することにある。
【０００９】
又、従来、転写搬送ユニットを本体に対して着脱可能とし。更に、転写搬送ユニット内で用紙がジャムした場合に手動でツマミ部材を回して搬送ローラ等を回転させることによって、ジャムした用紙を取り除く方式が採用されている。
【００１０】
しかしながら、ツマミ部材が本体搬送手段側に設けられ、本体搬送手段に転写搬送手段がオーバーラップするように被さっているため、ツマミ部材を本体搬送手段の前面側に出すためには転写搬送ユニットの側板にツマミ部材が通過することができる大きさの孔を形成する必要がある。転写搬送ユニットの側板が十分大きければ強度上の問題は発生しないが、転写搬送ユニットの小型化が進む昨今の状況では転写搬送ユニットの側板が小さくなり、この小さな側板にツマミ部材が通過するための大きな孔を形成すると、転写搬送ユニットの側板に強度上の問題が発生する恐れがある。
【００１１】
従って、本発明の第２の目的とする処は、転写搬送ユニットの強度不足を招くことなく、該転写搬送ユニットの本体に対する着脱作業性の向上を図ることができる記録媒体搬送装置及びこれを備えた画像形成装置を提供することにある。
【課題を解決するための手段】
【００１２】
上記目的を達成するため、請求項１記載の記録媒体搬送装置は、
画像形成装置の本体内部に設けられた記録媒体収納部から記録媒体をレジストローラへ搬送する本体搬送手段と、
バイパストレイから記録媒体をレジストローラへ搬送するバイパス搬送手段と、
を備え、
前記本体搬送手段の搬送ローラは前記バイパス搬送手段の搬送ローラを駆動する駆動手段によって駆動されることを特徴とする。
【００１３】
請求項２記載の発明は、請求項１記載の発明において、前記本体搬送手段の搬送ローラと前記バイパス搬送手段の搬送ローラの駆動を前記駆動手段の正逆転によって選択的に行うよう構成したことを特徴とする。
【００１４】
請求項３記載の発明は、請求項１又は２記載の発明において、前記本体搬送手段の前記レジストローラよりの直上流側に配置された搬送ローラが前記バイパス搬送手段の搬送ローラを駆動する駆動手段によって駆動されることを特徴とする。
【００１５】
請求項４記載の発明は、請求項１記載の発明において、更にバイパス搬送ユニットを有し、該バイパス搬送ユニットは、前記本体搬送手段の搬送ローラと前記バイパス搬送手段の搬送ローラとを有することを特徴とする。
【００１６】
請求項５記載の発明は、請求項１記載の発明において、更に転写搬送ユニットを有し、該転写搬送ユニットは、前記レジストローラと転写手段と前記バイパス搬送ユニットに設けられた両搬送ローラを手動で回転させるためのツマミ部材を有することを特徴とする。
【００１７】
請求項６記載の発明は、請求項５記載の発明において、前記転写搬送ユニットは画像形成装置の本体に着脱可能であって、前記ツマミ部材を前記搬送ローラに対して係合及び離脱するための係合手段を設けたことを特徴とする。
【００１８】
請求項７記載の画像形成装置は、
記録媒体が収納されている記録媒体収納部と、
記録媒体を搬送する記録媒体搬送装置と、
画像を形成する画像形成部と、
記録媒体が排出される記録媒体排出部を有し、
前記記録媒体搬送装置は、
画像形成装置の本体内部に設けられた記録媒体収納部から記録媒体をレジストローラへ搬送する本体搬送手段と、
バイパストレイから記録媒体をレジストローラへ搬送するバイパス搬送手段と、
を備え、
前記本体搬送手段の搬送ローラは、前記バイパス搬送手段の搬送ローラを駆動する駆動手段によって駆動されることを特徴とする。
【発明の効果】
【００１９】
本発明によれば、本体搬送手段のレジストローラよりも上流側の搬送ローラをバイパス搬送手段の搬送ローラを駆動する駆動モータによって駆動し、両搬送ローラの駆動を前記駆動モータの正逆転によって選択的に行うよう構成したため、駆動モータの数を削減して構造単純化とコストダウンを図ることができる。
【００２０】
又、搬送ローラによって用紙を搬送している間にジャムが発生した場合には、転写搬送ユニットに設けられたツマミ部材を手動で回してバイパス搬送ユニットに設けられた両搬送ローラを回転させることによって、ジャム紙を搬送してこれを容易に取り除くことができる。そして、ツマミ部材を転写搬送ユニットに設けたため、転写搬送ユニットの側板にはツマミ部材の小径の軸が貫通する程度の小さな孔を設ければ良く、孔による側板の強度低下が最小限に抑えられる。
【００２１】
更に、ツマミ部材を転写搬送ユニットに設けても、転写搬送ユニットの装置本体への着脱動作によってツマミ部材を係合手段によって搬送ローラに対して係脱するようにしたため、ツマミ部材が転写搬送ユニットの本体に対する着脱を阻害することがなく、ジャムが発生した場合には搬送ローラに係合するツマミ部材を手動で回してジャム紙を容易に取り除くことができる。
【図面の簡単な説明】
【００２２】
【図１】本発明に係る画像形成装置（複合機）の断面図である。
【図２】本発明に係る画像形成装置の転写搬送ユニットとバイパス搬送ユニットの駆動系の構成を示す平断面図である。
【図３】本発明に係る画像形成装置の転写搬送ユニットとバイパス搬送ユニットの駆動系の構成を示す側面図である。
【図４】ツマミ部材の駆動系の構成を示す側面図である。
【図５】本発明に係る画像形成装置の転写搬送ユニットの斜視図である。
【図６】転写搬送ユニットの着脱時のツマミ部材の搬送ローラに対する係脱の状態を示す部分斜視図である。
【図７】転写搬送ユニットの着脱時のツマミ部材の搬送ローラに対する係脱の状態を示す部分斜視図である。
【図８】転写搬送ユニットの着脱時のツマミ部材の搬送ローラに対する係脱状態を示す部分斜視図である。
【発明を実施するための形態】
【００２３】
以下に本発明の実施の形態を添付図面に基づいて説明する。
【００２４】
図１は本発明に係る画像形成装置の断面図であり、図示の画像形成装置１は、複写機能とプリンタ機能及びファクシミリ機能を兼備した複合機であって、本体２とその上部に配された自動原稿搬送装置３及び原稿読取装置４を備えている。そして、本体２の内部上方には、画像形成部５が配され、本体２内の下半部には記録媒体収納部６が配されている。又、本体２内の画像形成部５と記録媒体収納部６の間には転写搬送ユニット７と両面搬送ユニット８が配されている。
【００２５】
上記画像形成部５は、電子写真方式によって画像を形成する。像担持体としての感光体ドラム９と、その周囲に配された帯電手段である帯電器１０、現像手段である現像装置１１及び感光体ドラム９のクリーニング手段であるクリーニング装置１３を画像形成部５は備えている。更に、画像形成部５は現像装置１１に現像剤であるトナーを補給するためのトナーホッパー１４を備えている。尚、画像形成部５の横には、露光手段であるレーザースキャナユニット（ＬＳＵ）１５が配置されている。
【００２６】
前記記録媒体収納部６は、複数枚の用紙（記録媒体の一例）が積層状態で収容された４つの記録媒体収納カセット１６，１７，１８，１９を備えている。各記録媒体収納カセット１６〜１９はそれぞれ独立して本体２に対して着脱可能である。各記録媒体収納カセット１６〜１９の近傍には、各記録媒体収納カセット１６〜１９内の用紙を１枚ずつ取り出すピックアップローラ２０と、取り出された用紙を１枚ずつ分離して共通の搬送路Ｌ１へと送り出すフィードローラ２１とリタードローラ２２がそれぞれ配設されている。又、バイパストレイ２３の近傍には、バイパス搬送手段としてのピックアップローラ２０、フィードローラ２１、リタードローラ２２及び一対の搬送ローラ２４が設けられている。尚、搬送路Ｌ１には本体搬送手段を構成する複数対の搬送ローラ２５，２６が設けられている。又、記録媒体収納カセット１７から搬送路Ｌ１へと略水平に延びる搬送路Ｌ２には複数対の搬送ローラ２７が設けられている。
【００２７】
前記転写搬送ユニット７は、記録媒体収納部６から送り出された用紙を画像形成部５におけるトナー像の形成とタイミングを取って搬送するとともに、画像が形成された用紙を不図示の記録媒体排出部へ排出する。前記搬送路Ｌ１に連なる略水平な搬送路Ｌ３に配置された一対のレジストローラ２８、転写手段である転写ローラ１２、定着装置２９、一対の搬送ローラ３０及び一対の排紙ローラ３１が順次配置されている。ここて、定着装置２９は、圧接状態で互いに回転する定着ローラ２９ａと加圧ローラ２９ｂを備えている。
【００２８】
又、転写搬送ユニット７は本体２に対して着脱可能であって、これには、搬送路Ｌ３から分岐して両面搬送ユニット８へと延びる、横倒しになったＵ字状の搬送路Ｌ４が設けられている。搬送路Ｌ４の途中には一対の搬送ローラ３２が設けられている。又、転写搬送ユニット７には前記搬送路Ｌ４とは別に反転搬送路Ｌ５が搬送路Ｌ３から分岐して下方に延びている。反転搬送路Ｌ５の途中には一対の搬送ローラ３３が設けられている。そして、前記搬送路Ｌ４と搬送路Ｌ３との分岐部には、用紙の搬送方向を切り換えるためのフラッパ３４が回動可能に設けられている。
【００２９】
前記両面搬送ユニット８は、画像形成部５において片方の面に画像が形成された用紙の表裏を反転させるものである。両面搬送ユニット８は、前記搬送路Ｌ４と反転搬送路Ｌ５に連なる中間トレイ３５とその下方に配された両面搬送路Ｌ６を備えている。中間トレイ３５には、正逆転可能な反転ローラ３６と、該反転ローラ３６に対して圧接／離間する反転コロ３７が設けられている。
【００３０】
両面搬送ユニット８には大径の再給紙ローラ３８が回転可能に設けられている。再給紙ローラ３８の外周面には小径のローラ３９，４０が回転可能に当接している。尚、再給紙ローラ３８には不図示の一方向クラッチが接続されている。そして、再給紙ローラ３８から前記搬送路Ｌ３の入口に向かって略水平に延びる前記両面搬送路Ｌ６には一対の用紙加速ローラ４１と複数対の搬送ローラ４２が設けられている。又、再給紙ローラ３８の近傍には、中間トレイ３５に一旦引き込まれた用紙の搬送方向を切り換えるためのフラッパ４３が回動可能に設けられている。
【００３１】
ところで、前記用紙加速ローラ４１は、両面搬送路Ｌ６における搬送中の用紙の速度を変更するものである。用紙加速ローラ４１はステッピングモータ等の不図示の可変速モータによって駆動される。この用紙加速ローラ４１の速度を変更するタイミングは用紙検知センサＳが用紙の後端が再給紙ローラ３８に向けて通過した所定時間後である。該用紙検知センサＳの検知信号が制御手段である不図示のコントローラに送られると、コントローラは可変速モータを所定のタイミングで制御して用紙加速ローラ４１の速度を変更する。
【００３２】
次に、以上の構成を有する画像形成装置１の画像形成動作について説明する。
【００３３】
画像形成装置１の不図示の操作部に設けられた複写開始ボタンを作業者が押すと、自動原稿搬送装置３の原稿トレイ３ａに置かれた原稿が原稿読取部であるコンタクトガラス４ａ上に自動的に搬送される。そして、原稿の画像が原稿読取装置４によって光学的に読み取られる。画像形成部５においては、感光体ドラム９が不図示の駆動手段によって図１の矢印方向（時計方向）に回転駆動される。感光体ドラム９の表面が帯電器１０によって所定の電位に一様に帯電される。そして、原稿読取装置４から送信される画像データに基づくレーザー光がレーザースキャナユニット１５から感光体ドラム９上に照射されることで、感光体ドラム９上に静電潜像が形成され、感光体ドラム９上に形成された静電潜像は、現像装置１１からのトナーによって現像されることによってトナー像として可視像化される。
【００３４】
ところで、カセット給紙を行う場合、記録媒体収納部６の例えば記録媒体収納カセット１６内に収容された用紙は、ピックアップローラ２０によって最上位の用紙から順にピックアップされる。ピックアップされた用紙はフィードローラ２１とリタードローラ２２によって１枚ずつ分離された後、複数対の搬送ローラ２５，２６によって搬送路Ｌ１，Ｌ３を一対のレジストローラ２８へと搬送される。そして、レジストローラ２８においては、用紙は、一時待機状態とされた後、感光体ドラム９上のトナー像の形成にタイミングを合わせて画像形成部５へ供給される。
【００３５】
感光体ドラム９と転写ローラ１２との間に形成された転写ニップへ供給された用紙は、転写ローラ１２によって感光体ドラム９に押し付けられながら搬送される。転写ローラ１２に印加された転写バイアスの作用によって用紙の表面（上面）に感光体ドラム９上のトナー像が転写される。そして、トナー像が転写された用紙は、定着装置２９へと搬送される。トナー像が転写された用紙が定着装置２９の定着ローラ２９ａと加圧ローラ２９ｂ間の定着ニップを通過する過程で加熱及び加圧されて用紙はトナー像の定着を受ける。尚、用紙へのトナー像の転写後に感光体ドラム９の表面に残留するトナー（転写残トナー）はクリーニング装置１３によって除去される。
【００３６】
このようにして、定着装置２９によって表面にトナー像が定着された用紙は、フェースアップ排紙（ＦＵ排紙）が選択されている場合には、用紙は搬送路Ｌ３を排紙ローラ３１に向かって搬送され、排紙ローラ３１によって画像面を上にして不図示の排紙トレイ（記録媒体排出部）へと排出される。
【００３７】
一方、フェースダウン排紙（ＦＤ排紙）又は両面画像形成モードが選択された場合には、フラッパ３４が動作して用紙の搬送方向が切り換えられ、定着装置２９を通過した用紙は搬送路Ｌ４を通って両面搬送ユニット８へと搬送される。
【００３８】
両面搬送ユニット８においては、反転コロ３７は反転ローラ３６から離間した状態で待機している。用紙が両面搬送ユニット８内に規定長さ以上進行したときに、反転コロ３７は反転ローラ３６に圧接される。反転コロ３７が反転ローラ３６に圧接されると、反転ローラ３６が正転しているので、用紙は送られてきた方向に中間トレイ３５へ送られる。用紙が或る一定長さ以上中間トレイ３５に引き込まれた時に、反転ローラ３６の回転方向が逆転される。用紙の搬送方向が逆転することで、用紙は反転搬送路Ｌ５又は両面搬送路Ｌ６へと送られる。
【００３９】
つまり、フェースダウン排紙が選択されている場合には、フラッパ４３によって用紙の搬送方向が反転搬送路Ｌ５へと切り換えられる。そして、用紙は画像面を下にした状態で排紙ローラ３１によって不図示の排紙トレイへと排出される。
【００４０】
又、両面画像形成モードが選択されている場合には、フラッパ４３によって用紙の搬送方向が両面搬送路Ｌ６の方向に切り換えられる。用紙は、再給紙ローラ３８と一対の用紙加速ローラ４１及び複数対の搬送ローラ４２によって両面搬送路Ｌ６を画像面を上にして搬送される。両面搬送路Ｌ６から搬送路Ｌ３へと用紙が搬送されることによって、用紙は表裏が反転されて画像面を下にした状態でレジストローラ２８へと送られる。そして、以後は前述と同様のプロセスを経て用紙の反対面にトナー像が形成される。トナー像が形成された用紙は、定着装置２９によってトナー像の定着を受けた後に排紙ローラ対３１によって不図示の排紙トレイへと排出され、該用紙の両面に画像が形成される。
【００４１】
尚、以上はカセット給紙を行う場合について説明したが、手差し給紙を行う場合には、バイパストレイ２３上に積載された用紙は、ピックアップローラ２０によって最上位のものから順にピックアップされ、フィードローラ２１とリタードローラ２２によって１枚ずつ分離される。分離された用紙は一対の搬送ローラ２４によって搬送路Ｌ３を一対のレジストローラ２８へと搬送され、以後は前記と同様のプロセスを経て該用紙に画像が形成される。
【００４２】
本実施の形態では、本体搬送手段のレジストローラ２８よりも上流側の一対の搬送ローラ２６とバイパス搬送手段の一対の搬送ローラ２４を含んでバイパス搬送ユニット４４が構成されており、該バイパス搬送ユニット４４は本体２に固設されている。尚、当該バイパス搬送ユニット４４、転写搬送ユニット７、両面搬送ユニット８、搬送路Ｌ１〜Ｌ５及び両面搬送路Ｌ６によって記録媒体搬送装置が構成されている。
【００４３】
次に、本発明の要旨を図２〜図８に基づいて説明する。
【００４４】
図２は転写搬送ユニットとバイパス搬送ユニットの駆動系の構成を示す平断面図、図３は転写搬送ユニットとバイパス搬送ユニットの駆動系の構成を示す側面図、図４はツマミ部材の駆動系の構成を示す側面図、図５は転写搬送ユニットの斜視図、図６〜図８は転写搬送ユニットの着脱時のツマミ部材の搬送ローラに対する係脱状態を示す部分斜視図である。
【００４５】
本実施の形態では、バイパス搬送ユニット４４に組み込まれた本体搬送手段側の搬送ローラ２６をバイパス搬送手段の搬送ローラ２４を駆動する駆動手段としての駆動モータ４５（図２参照）によって駆動する。つまり、両搬送ローラ２４，２６の駆動を駆動モータ４５の正逆転によって選択的に行うように構成したことを特徴としている。
【００４６】
図２及び図３に示すように、バイパス搬送ユニット４４の左右の側板４６にはローラ軸４７，４８がそれぞれ回転可能に支持されている。各ローラ軸４７，４８には左右一対の前記搬送ローラ２６，２４がそれぞれ配設されている。又、各ローラ軸４７，４８の軸方向一端にはギヤ４９，５０が一方向クラッチ５１，５２を介してそれぞれ取り付けられている。尚、一方向クラッチ５１，５２はギヤ４９，５０の規定方向の回転をそれぞれローラ軸４７，４８に接続し、規定方向とは逆方向のギヤ４９，５０の回転をそれぞれローラ軸４７，４８に接続しないために用いられる。各ローラ軸４７，４８の軸方向他端にはカップリングギヤ５３と従動ギヤ５４が一方向クラッチ５５，５６を介してそれぞれ取り付けられている。そして、前記駆動モータ４５の出力軸端に配設されたモータギヤ５７は、前記ギヤ４９に噛合するとともに、アイドルギヤ５８を介して前記ギヤ５０に噛合している。又、図４に示すように、カップリングギヤ５３と従動ギヤ５４とは２つのアイドルギヤ５９，６０を介して接続されている。尚、図７に示すように、カップリングギヤ５３には円弧状の爪５３ａがカップリングギヤ５３と一体に形成されている。
【００４７】
更に、図２に示すように、バイパス搬送ユニット４４の左右の側板４６にはローラ軸６１が回転可能に支持されている。ローラ軸６１の軸方向一端にはギヤ６２と電磁クラッチ６３が取り付けられている。電磁クラッチ６３はギヤ６２の回転をローラ軸６１に必要に応じて接続または切断するために用いられる。ローラ軸６１の軸方向他端にはギヤ６４と前記フィードローラ２１が一方向クラッチ６５を介して取り付けられている。そして、ギヤ６２は前記アイドルギヤ５８に噛合し、前記ギヤ６４はアイドルギヤ６６を介して前記ピックアップローラ２０に配設されたギヤ６７に噛合している。
【００４８】
他方、前記転写搬送ユニット７の左右の側板６８にはレジストローラ２８のローラ軸６９が回転可能に支持されている。このローラ軸６９の軸方向一端にはギヤ７０が一方向クラッチ７１を介して取り付けられている。ローラ軸６９の軸方向他端にはギヤ７２が一方向クラッチ７３を介して取り付けられている。そして、ギヤ７０には、レジストローラ２８を回転駆動するための駆動モータ７４の出力軸端に配設されたモータギヤ７５が噛合している。
【００４９】
ところで、図２及び図５〜図８に示すように、転写搬送ユニット７の一方の側板６８とその内側に配設されたブラケット７６によって回転軸７７が回転可能に支持されている。尚、回転軸７７は前記ローラ軸４７と同軸となるように配置されている。この回転軸７７の側板６８側の端部にはツマミ部材７８が配設されている。回転軸７７の他方の端部にはカップリング部材７９が軸方向に沿って摺動可能に支持されている。このカップリング部材７９には、図７に示すように、前記カップリングギヤ５３に形成された爪５３ａに係合する爪７９ａが形成されている。転写搬送ユニット７を本体２に対して着脱することによってカップリング部材７９の爪７９ａがカップリングギヤ５３の爪５３ａに係脱する。つまり、カップリング部材７９とカップリングギヤ５３とが連結及び連結解除される。尚、カップリング部材７９とカップリングギヤ５３とは、ツマミ部材７８をローラ軸４７に対して係脱させるための係合手段を構成している。
【００５０】
そして、カップリング部材７９と前記ブラケット７６間に圧縮して配設された弾性部材としてのスプリング８０が圧縮して配設されている。スプリング８０によってカップリング部材７９はカップリングギヤ５３側に付勢されている。
【００５１】
又、図２及び図４に示すように、回転軸７７にはギヤ８１が配設されている。ギヤ８１は３つのアイドルギヤ８２，８３，８４を介して前記ローラ軸６９の軸方向他端側に配設されたギヤ７２に噛合している。
【００５２】
カセット給紙がなされる場合には駆動モータ４５が正転される。駆動モータ４５の回転はモータギヤ５７とギヤ４９及びＯＮ状態にある一方向クラッチ５１を介してローラ軸４７に伝達されることで、該ローラ軸４７とローラ軸４７に配設された搬送ローラ２６が回転駆動される。搬送ローラ２６が回転駆動されることによって、記録媒体収納カセット１６〜１９の何れかから供給される用紙が一対のレジストローラ２８へと搬送される。そして、適切なタイミングで駆動モータ７４が駆動されると、その回転は一方向クラッチ７１及びギヤ７０を経てローラ軸６９に伝達される。従って、レジストローラ２８が回転駆動されることになるため、レジストローラ２８に突き当たって一時待機していた用紙が転写ニップへと搬送されてトナー像の転写を受ける。尚、このとき、駆動モータ４５の回転はモータギヤ５７とアイドルギヤ５８を経てギヤ５０に伝達される。
【００５３】
しかしながら、一方向クラッチ５２がＯＦＦ状態にあるためにギヤ５０は空転し、その回転がローラ軸４８及び搬送ローラ２４に伝達されないために搬送ローラ２４は停止している。又、一方向クラッチ５５はＯＦＦ状態にあるため、ローラ軸４７の回転がカップリングギヤ５３及びカップリング部材７９を経て回転軸７７に伝達されない。又、一方向クラッチ７３がＯＦＦ状態にあるため、レジストローラ２８のローラ軸６９の回転がギヤ７２とアイドルギヤ８４,８３，８２及びギヤ８１を経て回転軸７７とツマミ部材７８に伝達されないため、回転軸７７とツマミ部材７８は回転しない。
【００５４】
他方、手差し給紙を行う場合には駆動モータ４５を逆転させる。ここで、駆動モータ４５を逆転させると、一方向クラッチ５１はＯＦＦ状態となり、一方向クラッチ５２はＯＮ状態となる。従って、ギヤ４９は空転するのでローラ軸４７及び搬送ローラ２６には駆動モータ４５の回転は伝達されない。よって、駆動モータ４５を逆転しているときにはローラ軸４７と搬送ローラ２６は停止状態を維持する。これに対して、駆動モータ４５の回転はモータギヤ５７とアイドルギヤ５８及びギヤ５０、ＯＮ状態にある一方向クラッチ５２を経てローラ軸４８に伝達される。従って、搬送ローラ２４が回転することになるため、バイパストレイ２３から搬送された用紙が搬送ローラ２４によってレジストローラ２８へと搬送される。そして、手差し給紙においても適切なタイミングで駆動モータ７４が駆動され、駆動モータ７４の回転は一方向クラッチ７１及びギヤ７０を経てローラ軸６９に伝達される。このため、レジストローラ２８が回転することになり、該レジストローラ２８に突き当たって一時待機していた用紙が転写ニップへと搬送されてトナー像の転写を受ける。尚、手差し給紙を行っているときには、一方向クラッチ５６，７３は共にＯＦＦ状態にあるため、搬送ローラ２４及びレジストローラ２８の回転によってツマミ部材７８が回転することがない。
【００５５】
又、手差し給紙において駆動モータ４５が逆転すると、その回転はアイドルギヤ５８を経てギヤ６２に伝達される。ここで、電磁クラッチ６３がＯＮするとギヤ６２の回転はローラ軸６１及びＯＮ状態にある一方向クラッチ６５を経てフィードローラ２１に伝達されて該フィードローラ２１が給紙方向に回転する。又、同時にローラ軸６１の回転がギヤ６４，６６，６７を経てピックアップローラ２０に伝達され、該ピックアップローラ２０が給紙方向に回転する。このようにピックアップローラ２０とフィードローラ２１が回転することによってバイパストレイ２３上の用紙が１枚ずつピックアップされて分離されて、搬送ローラ２４へ供給される。その後、電磁クラッチ６３がＯＦＦされると、ピックアップローラ２０とフィードローラ２１は用紙に追従して回転する。
【００５６】
次に、用紙の搬送中に用紙が搬送ローラ２４，２６又はレジストローラ２８においてジャムした場合には、ツマミ部材７８を所定の方向（ローラ軸４７の回転方向とは逆方向、図２の矢印Ｄ方向）に手動で回すと、ツマミ部材７８の回転は、回転軸７７及び係合状態にあるカップリング部材７９とカップリングギヤ５３、ＯＮ状態にある一方向クラッチ５５を経てローラ軸４７に伝達される。尚、用紙がジャムしたことが図示しない検知手段を通して不図示のコントローラによって検知されると、コントローラは駆動モータ４５及び駆動モータ７４を停止させる。
【００５７】
従って、ツマミ部材７８を手動で回転させることで、搬送ローラ２６が用紙搬送時とは逆方向に回転する。又、カップリングギヤ５３の回転はアイドルギヤ５９，６０とギヤ５４及びＯＮ状態にある一方向クラッチ５６を経てローラ軸４８に伝達される。このため、ツマミ部材７８を手動で回転させることで、搬送ローラ２４が用紙搬送時とは逆方向に回転する。搬送ローラ２６と搬送ローラ２４が回転するため、搬送ローラ２４又は２６においてジャムした用紙が用紙搬送時とは逆方向に搬送されて容易に取り除かれる。このとき、一方向クラッチ５１，５２は共にＯＦＦ状態にあるため、ツマミ部材７８を回す際に該ツマミ部材７８に駆動モータ４５の負荷が掛かることがない。従って、ツマミ部材７８を小さな力で楽に回すことができる。
【００５８】
又、ツマミ部材７８の回転は、ギヤ８１、アイドルギヤ８２,８３,８４、ギヤ７２及びＯＮ状態にある一方向クラッチ７３を経てローラ軸６９に伝達される。従って、レジストローラ２８が回転することになり、レジストローラ２８においてジャムした用紙が搬送されて容易に取り除かれる。このとき、一方向クラッチ７１はＯＦＦ状態にあるため、ツマミ部材７８を回す際に該ツマミ部材７８に駆動モータ７４の負荷が掛かることはない。この結果、ツマミ部材７８を小さな力で楽に回すことができる。
【００５９】
ところで、転写搬送ユニット７は本体２に対して図６及び図７の矢印ａ方向に離脱又はｂ方向に装着されることができる。図２及び図８に示すように、転写搬送ユニット７が本体２内に装着されている状態では、転写搬送ユニット７側に設けられたツマミ部材７８の回転軸７７の端部に設けられたカップリング部材７９はバイパス搬送ユニット４４のローラ軸の４７の一端に配設されたカップリングギヤ５３に係合する。従って、ツマミ部材７８とローラ軸４７とが連結される。用紙の搬送中にジャムが発生した場合には前述のようにツマミ部材７８を手動で回すことによってジャムした用紙を容易に取り除くことができる。
【００６０】
そして、メンテナンス等のために転写搬送ユニット７を本体２から図６及び図７の矢印ａ方向に取り出すと、カップリング部材７９とカップリングギヤ５３との係合が外れる。よって、転写搬送ユニット７に設けられたツマミ部材７８が転写搬送ユニット７と共に取り出されるため、該ツマミ部材７８が転写搬送ユニット７の取り出しを阻害することがない。
【００６１】
又、取り出した転写搬送ユニット７を本体２に装着する場合には、該転写搬送ユニット７を図６及び図７の矢印ｂ方向に本体２に対して組み込む。すると、ツマミ部材７８の回転軸７７の端部に設けられたカップリング部材７９がバイパス搬送ユニット４４側のローラ軸４７の一端に配設されたカップリングギヤ５３に噛合する。従って、図２及び図８に示すようにツマミ部材７８とバイパス搬送ユニット４４側のローラ軸４７とが連結される。用紙の搬送中にジャムが発生した場合には前述のようにツマミ部材７８を手動で回すことによってジャムした用紙を容易に取り除くことができる。尚、本実施の形態では、カップリング部材７９をスプリング８０によってカップリングギヤ５３の方向に付勢しているため、転写搬送ユニット７を画像形成本体２に対して着脱することによってカップリング部材７９がカップリングギヤ５３に対して係脱される際の衝撃がスプリング８０の弾性変形によって効果的に吸収される。従って。カップリング部材７９やカップリングギヤ５３の衝撃による破損が防がれる。
【００６２】
以上のように、本実施の形態に係る画像形成装置１においては、本体搬送手段のレジストローラ２８よりも上流側の搬送ローラ２６をバイパス搬送手段の搬送ローラ２４を駆動する駆動モータ４５によって駆動し、両搬送ローラ２４，２６の駆動を駆動モータ４５の正逆転によって選択的に行うよう構成したため、駆動モータの数を削減して構造単純化とコストダウンを図ることができる。
【００６３】
又、搬送ローラ２４，２６によって用紙を搬送している間にジャムが発生した場合には、転写搬送ユニット７に設けられたツマミ部材７８を手動で回してバイパス搬送ユニット４４に設けられた両搬送ローラ２４，２６を回転させることによって、ジャムした用紙を搬送してこれを容易に取り除くことができる。ツマミ部材７８を転写搬送ユニット７に設けたため、転写搬送ユニット７の側板６８にはツマミ部材７８の小径の回転軸７７が貫通する程度の小さな孔を設ければ良く、孔による側板６８の強度低下が最小限に抑えられる。
【００６４】
更に、本実施の形態では、ツマミ部材７８を転写搬送ユニット７に設けても、転写搬送ユニット７の本体２への着脱動作によってツマミ部材７８を係合手段であるカップリング部材７９とカップリングギヤ５３によって搬送ローラ２６（ローラ軸４７）に対して係脱するようにした。これにより、ツマミ部材７８が転写搬送ユニット７の本体２に対する着脱を阻害することがない。又、用紙のジャムが発生した場合には搬送ローラ２６のローラ軸４７に連結されたツマミ部材７８を手動で回してジャム紙を容易に取り除くことができる。
【００６５】
又、本実施の形態では、レジストローラ２８がツマミ部材７８の回転に連動して回転するよう構成したため、レジストローラ２８においてジャムが発生した場合も、ツマミ部材７８を手動で回すことによってジャム紙を容易に取り除くことができる。
【００６６】
尚、本実施の形態では、本発明を複合機に対して適用した例について説明したが、本発明は、単体としての複写機、プリンタ、ファクシミリ等に対しても同様に適用可能であることは勿論である。
【符号の説明】
【００６７】
１          画像形成装置
２          画像形成装置本体
３          自動原稿搬送装置
３ａ        原稿トレイ
４          原稿読取装置
４ａ        コンタクトガラス
５          画像形成部
６          用紙収納部
７          転写搬送ユニット
８          両面搬送ユニット
９          感光体ドラム
１０        帯電器
１１        現像装置
１２        転写ローラ
１３        クリーニング装置
１４        トナーホッパー
１５        レーザースキャナユニット（ＬＳＵ）
１６〜１９  給紙カセット
２０        ピックローラ
２１        フィードローラ
２２        リタードローラ
２３        バイパストレイ
２４〜２７  搬送ローラ
２８        レジストローラ
２９        定着装置
２９ａ      定着ローラ
２９ｂ      加圧ローラ
３０        搬送ローラ
３１        排紙ローラ
３２，３３  返送ローラ
３４        フラッパ
３５        中間トレイ
３６        反転ローラ
３７        反転コロ
３８        再給紙ローラ
３９，４０  ローラ
４１        用紙加速ローラ
４２        搬送ローラ
４３        フラッパ
４４        バイパス搬送ユニット
４５        駆動モータ
４６        バイパス搬送ユニットの側板
４７，４８  ローラ軸
４９，５０  ギヤ
５１，５２  一方向クラッチ
５３        カップリングギヤ
５３ａ      カップリングギヤの爪
５４        従動ギヤ
５５，５６  一方向クラッチ
５７        モータギヤ
５８〜６０  モータギヤ
６１        ローラ軸
６２        ギヤ
６３        電磁クラッチ
６４        ギヤ
６５        一方向クラッチ
６６        アイドルギヤ
６７        ギヤ
６８        搬送ユニットの側板
６９        ローラ軸
７０        ギヤ
７１        一方向クラッチ
７２        ギヤ
７３        一方向クラッチ
７４        駆動モータ
７５        モータギヤ
７６        ブラケット
７７        軸
７８        ツマミ部材
７９        カップリング部材
７９ａ      カップリング部材の爪
８０        スプリング（弾性部材）
８１        ギヤ
８２〜８４  アイドルギヤ
Ｌ１〜Ｌ４  搬送路
Ｌ５        反転搬送路
Ｌ６        両面搬送路
【図１】
2010097180.tif 000003
【図２】
2010097180.tif 000004
【図３】
2010097180.tif 000005
【図４】
2010097180.tif 000006
【図５】
2010097180.tif 000007
【図６】
2010097180.tif 000008
【図７】
2010097180.tif 000009
【図８】
2010097180.tif 000010